(57)【特許請求の範囲】
【請求項１】
人物を撮像して得られる画像を表示部に表示するよう制御する画像表示手段と、
前記画像表示手段により表示されている画像を外部装置へ送信するよう制御する送信手段と、
前記外部装置を識別するための送信先情報と前記人物を識別するための識別情報とを対応づけて記憶媒体に記憶するよう制御する記憶手段と、
前記画像表示手段により表示されている画像から、該画像の表示領域のうち人物が表示されていると判断された領域の情報を、人物を示す被写体情報として取得する被写体情報取得手段と、
前記被写体情報取得手段により取得された被写体情報と前記記憶手段により記憶媒体に記憶されている識別情報とを比較する比較手段と、
前記比較手段により前記被写体情報が示す人物と同じ人物を示していると判断された識別情報と、該識別情報に対応づけられている送信先情報とを、前記画像とともに同一画面に表示するよう制御する情報表示手段と、
前記情報表示手段により表示されている送信先情報とは異なる複数の送信先情報のうちのいずれか一つを指定して表示する指示を受け付ける変更手段とを有し、
前記記憶手段は、前記送信先情報と複数の識別情報とを対応づけて前記記憶媒体に記憶し、
前記情報表示手段は、前記変更手段により受け付けられた指示に基づき、前記情報表示手段により表示されている送信先情報とは異なる送信先情報を指定して表示するよう制御するとともに、前記情報表示手段により表示されている送信先情報とは異なる送信先情報に対応づけられている複数の識別情報を表示するよう制御することを特徴とする情報処理装置。
【請求項２】
前記送信先情報は文字として表示され、かつ前記識別情報は画像として表示されることを特徴とする請求項１に記載の情報処理装置。
【請求項３】
前記情報表示手段は、前記送信先情報に対応づけられている複数の識別情報のうち、前記被写体情報が示す人物と同じ人物を示していると判断された識別情報を優先して表示することを特徴とする請求項１または２に記載の情報処理装置。
【請求項４】
前記情報表示手段は、前記送信先情報に対応づけられている複数の識別情報を、前記被写体情報が示す人物と同じ人物を示していると判断された識別情報を先頭にして並べて表示することを特徴とする請求項１または２に記載の情報処理装置。
【請求項５】
前記被写体情報取得手段は、前記画像表示手段により表示されている画像から複数の被写体情報を取得し、
前記情報表示手段は、前記複数の被写体情報のそれぞれに対して、前記比較手段により前記被写体情報が示す人物と同じ人物を示すと判断された識別情報に対応づけられている送信先情報を表示するよう制御することを特徴とする請求項１乃至４のいずれか１項に記載の情報処理装置。
【請求項６】
前記情報表示手段は、前記被写体情報取得手段により取得された被写体情報が示す領域と、前記比較手段により前記被写体情報が示す人物と同じ人物を示すと判断された識別情報とを、それぞれが同じ人物を示すことをユーザが判断可能なように表示するよう制御することを特徴とする請求項１乃至５のいずれか１項に記載の情報処理装置。
【請求項７】
前記変更手段により受け付けた指示により指定可能な複数の送信先情報には、印刷手段を有する印刷装置に関する情報が含まれることを特徴とする請求項１乃至６のいずれか１項に記載の情報処理装置。
【請求項８】
前記被写体情報を選択する選択手段と、
前記選択手段により選択されている被写体情報が示す人物を主被写体として画像処理を行う画像処理手段とを有することを特徴とする請求項１乃至７のいずれか１項に記載の情報処理装置。
【請求項９】
前記情報表示手段は、前記情報表示手段により表示されている画像が前記送信手段により送信済みである外部装置を示す送信先情報と、そうでない送信先情報とを区別して表示するよう制御することを特徴とする請求項１乃至８のいずれか１項に記載の情報処理装置。
【請求項１０】
前記情報表示手段は、該送信先情報が示す外部装置と通信可能である場合とそうでない場合とで区別して送信先情報を表示するよう制御することを特徴とする請求項１乃至９のいずれか１項に記載の情報処理装置。
【請求項１１】
人物を撮像して得られる画像を表示部に表示する画像表示工程と、
前記画像表示工程にて表示されている画像を外部装置へ送信する送信工程と、
前記外部装置を識別するための送信先情報と前記人物を識別するための識別情報とを対応づけて記憶媒体に記憶する記憶工程と、
前記画像表示工程にて表示されている画像から、該画像の表示領域のうち人物が表示されていると判断された領域の情報を、人物を示す被写体情報として取得する被写体情報取得工程と、
前記被写体情報取得工程にて取得された被写体情報と前記記憶工程にて記憶媒体に記憶されている識別情報とを比較する比較工程と、
前記比較工程にて前記被写体情報が示す人物と同じ人物を示していると判断された識別情報と、該識別情報に対応づけられている送信先情報とを、前記画像とともに同一画面に表示する情報表示工程と、
前記情報表示工程にて表示されている送信先情報とは異なる複数の送信先情報のうちいずれか一つを指定して表示する指示を受け付ける変更工程とを有し、
前記記憶工程では、前記送信先情報と複数の識別情報とを対応づけて前記記憶媒体に記憶し、
前記情報表示工程では、前記変更工程にて受け付けられた指示に基づき、前記情報表示工程にて表示されている送信先情報とは異なる送信先情報を指定して表示するとともに、前記情報表示工程により表示されている送信先情報とは異なる送信先情報に対応づけられている複数の識別情報を表示することを特徴とする情報処理装置の制御方法。
【請求項１２】
コンピュータを、請求項１乃至１０のいずれか１項に記載の情報処理装置として機能させるためのプログラム。
【発明の詳細な説明】
【技術分野】
【０００１】
本発明は、画像データを取り扱い可能な情報処理装置、情報処理装置の制御方法、及びプログラムに関するものである。
【背景技術】
【０００２】
近年、デジタルカメラが広く一般に普及している。このようなデジタルカメラは撮像された被写体の画像データをパーソナルコンピュータ（ＰＣ）やプリンタ等の外部装置に送信できるようになっている。例えば、特許文献１に開示された画像伝送システムは画像送信装置に記憶した外部装置の所有者情報と、撮像された画像データ中の被写体情報とを照合し、所有者情報と被写体情報とが一致したことを条件として、画像データを外部装置へ無線伝送する。
【０００３】
また、特許文献２に開示された電子カメラは撮像した画像を識別して、識別された人物に関する情報（例えば電話番号、メールアドレス、氏名等）を表示し、表示した情報に従って通信（メール、通話、ＵＲＬアクセス）を行う。
【０００４】
【特許文献１】特開２００５−２５２４５７号公報
【特許文献２】特開２００６−１６５８２２号公報
【発明の開示】
【発明が解決しようとする課題】
【０００５】
しかしながら、デジタルカメラのような撮像装置の場合、例えば家族（グループ）等の複数の人物が１つのデジタルカメラを共有して、使用することがある。このような場合、グループのうち少なくとも一人の人物が撮像されている画像データであれば、グループが共有するデジタルカメラに送信したいと考える。このようにするには、グループの画像を撮像するデジタルカメラにおいて、グループの複数の人物とグループが共有するデジタルカメラとを関連付けて登録しておけばよい。そして、グループのうち少なくとも一人の人物を撮像したデジタルカメラは撮像した画像データの送信先を、登録した情報に基づいて特定することで、画像データを共有するデジタルカメラに送信できる。また、グループのうち少なくとも一人の人物を撮像したデジタルカメラは撮像した画像と特定した送信先とを共にディスプレイに表示すれば、ユーザは簡単に画像データの送信先を確認することができる。
【０００６】
しかしながら、デジタルカメラが、同一グループに含まれる複数の人物を撮像した場合、撮像した画像データが、グループが共有する同一のデジタルカメラに送信されることが、ユーザには、分かりにくいおそれがある。上述した従来技術では、携帯電話を想定しているため、一人の人物が１つの外部装置を使用することを前提とした表示であり、グループが共有する同一の外部装置に送信されることについては考慮されていない。
【０００７】
本発明は上述したような問題点に鑑みてなされたものであり、撮像した画像データがどの外部装置に送信されるのかを簡単に確認することができるようにすることを目的とする。
【課題を解決するための手段】
【０００８】
本発明の情報処理装置は、人物を撮像して得られる画像を表示部に表示するよう制御する画像表示手段と、前記画像表示手段により表示されている画像を外部装置へ送信するよう制御する送信手段と、前記外部装置を識別するための送信先情報と前記人物を識別するための識別情報とを対応づけて記憶媒体に記憶するよう制御する記憶手段と、前記画像表示手段により表示されている画像から、該画像の表示領域のうち人物が表示されていると判断された領域の情報を、人物を示す被写体情報として取得する被写体情報取得手段と、前記被写体情報取得手段により取得された被写体情報と前記記憶手段により記憶媒体に記憶されている識別情報とを比較する比較手段と、前記比較手段により前記被写体情報が示す人物と同じ人物を示していると判断された識別情報と、該識別情報に対応づけられている送信先情報とを、前記画像とともに同一画面に表示するよう制御する情報表示手段と、前記情報表示手段により表示されている送信先情報とは異なる複数の送信先情報のうちのいずれか一つを指定して表示する指示を受け付ける変更手段とを有し、前記記憶手段は、前記送信先情報と複数の識別情報とを対応づけて前記記憶媒体に記憶し、前記情報表示手段は、前記変更手段により受け付けられた指示に基づき、前記情報表示手段により表示されている送信先情報とは異なる送信先情報を指定して表示するよう制御するとともに、前記情報表示手段により表示されている送信先情報とは異なる送信先情報に対応づけられている複数の識別情報を表示するよう制御することを特徴とする。
【発明の効果】
【０００９】
本発明によれば、撮像した画像データがどの外部装置に送信されるのかを簡単に確認することができる。
【発明を実施するための最良の形態】
【００１０】
以下、図面を参照して本発明に係る実施形態について説明する。
（第１の実施形態）
図１は、本発明の実施形態に係る撮像装置（以下、デジタルカメラという）の構成を示す図である。デジタルカメラ１の構成について説明する。
２は撮影レンズである。３は絞り機能を備えるシャッターである。４は光学像を電気信号に変換する撮像素子である。５は撮像素子４のアナログ信号出力をデジタル信号に変換するＡ／Ｄ変換器である。６は撮像素子４と、Ａ／Ｄ変換器５と、Ｄ／Ａ変換器７にクロック信号や制御信号を供給するタイミング発生回路である。タイミング発生回路６はメモリ制御回路８及びシステム制御部９により制御される。
【００１１】
１０は画像処理部（画像処理回路）である。画像処理部１０は、Ａ／Ｄ変換器５からのデータ又はメモリ制御回路８からのデータに対して所定の画素補間処理や色変換処理等の画像処理を行う。８はメモリ制御回路である。メモリ制御回路８はＡ／Ｄ変換器５と、タイミング発生回路６と、画像処理部１０と、画像表示メモリ１１と、Ｄ／Ａ変換器７と、メモリ１２とを制御する。Ａ／Ｄ変換器５においてデジタル信号に変換されたデータが画像処理部１０と、メモリ制御回路８とを介して又は直接メモリ制御回路８を介して、画像表示メモリ１１又はメモリ１２に書き込まれる。
【００１２】
１１は画像表示メモリである。７はＤ／Ａ変換器である。１３は画像表示部であり、例えばＴＦＴ  ＬＣＤ等からなる。画像表示メモリ１１に書き込まれた表示用の画像データはＤ／Ａ変換器７を介して画像表示部１３に表示される。なお、画像表示部１３を用いて撮像した画像データを逐次表示すれば、電子ファインダー機能を実現することができる。
１２は撮影した静止画像や動画像を格納するためのメモリである。メモリ１２は所定枚数の静止画像や所定時間の動画像を格納するのに十分な記憶量を備えている。
【００１３】
１４は絞り機能を備えるシャッター３を制御する露光制御部である。露光制御部１４はフラッシュ１７と連携することによりフラッシュ調光機能を有する。１５は撮影レンズ２のフォーカシングを制御する合焦制御部である。１６は撮影レンズ２のズーミングを制御するズーム制御部である。１７はフラッシュである。フラッシュ１７はＡＦ補助光の投光機能とフラッシュ調光機能とを有する。９はデジタルカメラ１全体を制御するシステム制御部（システム制御回路）である。２０はシステム制御部９の動作用の定数、変数、プログラム等を記憶するメモリである。
【００１４】
１８は電源制御部である。電源制御部１８は電池検出回路、ＤＣ−ＤＣコンバータ、通電するブロックを切り替えるスイッチ回路等により構成されている。電源制御部１８は電池の装着の有無、電池の種類、電池残量の検出を行い、検出結果及びシステム制御部９の指示に基づいてＤＣ−ＤＣコンバータを制御し、必要な電圧を必要な期間、記録媒体を含む各部へ供給する。
【００１５】
１９は電源部である。電源部１９はアルカリ電池及びリチウム電池等の一次電池、ＮｉＣｄ電池、ＮｉＭＨ電池及びＬｉイオン電池等の二次電池、ＡＣアダプター等である。
２１は液晶表示装置及びスピーカ等の出力装置である。出力装置２１はシステム制御部９でのプログラムの実行に応じて、文字、画像、音声等を用いて動作状態やメッセージ等が出力される。出力装置２１はデジタルカメラ１の操作部近辺の視認し易い位置に単数又は複数個所設置される。具体的に、出力装置２１は例えばＬＣＤ、ＬＥＤ又は発音素子等の組み合わせにより構成されている。
【００１６】
２２は電気的に消去・記録可能な不揮発性メモリである。不揮発性メモリ２２は外部装置の無線接続情報を記憶することができる。２３はメモリカードを接続するためのメモリカードインタフェースである。２４は外部機器とＵＳＢを用いて接続するためのＵＳＢインタフェースである。２５は、システム制御部９の各種の動作指示を入力するための操作部である。操作部２５は、スイッチ、ダイアル、タッチパネル、視線検知によるポインティング、音声認識装置等の単数又は複数の組み合わせで構成されている。なお、操作部２５については後述する図２において説明する。
【００１７】
２６はシャッタースイッチである。ユーザがシャッタースイッチ２６を押下することで、撮像素子４から読み出された信号をＡ／Ｄ変換器５、メモリ制御回路８を介してメモリ１２に画像データを書き込む露光処理、画像処理部１０やメモリ制御回路８での演算を用いた現像処理の一連の動作が開始する。２７は無線通信回路である。無線通信回路２７は無線信号を送受信し、無線通信を制御する。２８は他の外部装置と無線通信を行うためのアンテナである。
【００１８】
次に、デジタルカメラ１の外観構成について、図２を参照して説明する。図２は、デジタルカメラ１の外観構成を示す図である。デジタルカメラ１は、上述したように画像表示部１３、操作部２５を備えている。操作部２５は、送信ボタン２０４、ＳＥＴボタン２０５、上ボタン２０６、右ボタン２０７、下ボタン２０８、左ボタン２０９、ＭＥＮＵボタン２１０等を有している。
【００１９】
送信ボタン２０４は、画像表示部１３の付近に設けられている。ユーザが送信ボタン２０４を押下することで、システム制御部９に対して、画像データの送信を指示することができる。
ＳＥＴボタン２０５は、上ボタン２０６、右ボタン２０７、下ボタン２０８及び左ボタン２０９で囲まれた中央に設けられる。メニュー操作のときに操作者がＳＥＴボタン２０５を押下することで、メニュー項目を決定するための指示を行うことができる。
上ボタン２０６、右ボタン２０７、下ボタン２０８及び左ボタン２０９（十字キー）は、ＳＥＴボタン２０５の周囲に設けられている。ユーザは、メニュー操作のときに上ボタン２０６、右ボタン２０７、下ボタン２０８、左ボタン２０９の何れかを押下することで、メニュー項目を切り替えるための指示を行うことができる。
ＭＥＮＵボタン２１０は、十字キーの付近に設けられる。操作者がＭＥＮＵボタン２１０を押下することにより、各種設定のための指示を行うことができる。
【００２０】
次に、図３を参照して、撮像装置と外部装置とを含んで構成される無線ネットワークについて説明する。無線ネットワークは、デジタルカメラ１と、デジタルカメラ２０１、２０２、２０３とが無線接続できるようになっている。ここで、図３に示すデジタルカメラ１は、撮像した画像データを外部装置に送信する送信装置として機能する。また、図３に示すデジタルカメラ２０１、２０２、２０３はデジタルカメラ１から送信された画像データを受信する外部装置である。デジタルカメラ２０１、２０２、２０３は図１及び図２に示すデジタルカメラ１と同様の構成を有している。なお、無線接続されるデジタルカメラ同士はそれぞれが共通の無線接続情報を不揮発性メモリ２２に記憶しておき、その情報に基づいて接続動作を行う。
【００２１】
図４は、無線接続情報と外部装置の所有者の識別情報とが関連付けて記憶された管理データ（テーブル）３００を示す図である。管理データ３００は、デジタルカメラ１の不揮発性メモリ２２に記憶されている。管理データ３００には登録ナンバー３０１と、複数の登録データを識別するための登録名３０２と、対応する外部装置との無線接続に必要な無線パラメータ３０３と、外部装置を特定するためのデバイスＩＤ３０４とを含んで構成されている。また、管理データ３００には、上述した情報に関連付けられて識別情報３０５としての顔画像の画像情報（顔データ）と、外部装置との接続された状態を示す接続状態３０６とが含まれている。ここで、識別情報３０５には、管理データ３００の項目に対応する外部装置の所有者の顔データを登録することができる。また、識別情報３０５としての顔データには図４の登録ナンバー２に示すように、複数の顔データを登録することができる。これは、送信先となる外部装置のデジタルカメラが家族（グループ）等の複数の人物で共有して使用されているような場合であっても、外部装置の情報と対応付けてグループの複数の人物の顔データを登録できるようにするためである。このように複数の人物の顔データを登録できるようにしておくことで、後述するように、グループのうち少なくとも一人の人物が撮像された画像データであれば、管理データ３００に基づいて、送信先をグループが共有するデジタルカメラに特定できる。
【００２２】
管理データ３００の登録方法としては、ユーザが操作部２５を用いて画像データから登録する顔データを切り出した上、ソフトウェアキーボードを用いて登録名、無線パラメータ、デバイスＩＤ、切り出した顔データ等を関連付けて入力する方法がある。また、その他の登録方法としては、ユーザがＰＣとデジタルカメラとを接続し、予めＰＣで作成しておいた管理データ３００をデジタルカメラに送信する方法がある。なお、登録方法はこの場合に限られず、何らかの方法で管理データ３００がデジタルカメラ１に登録されていればよい。システム制御部９は入力された管理データ３００を不揮発性メモリ２２に記憶する（記憶処理手段）。
【００２３】
無線パラメータ３０３は、機器同士が無線接続するときの接続プロトコルによって定められた様々な種類のパラメータである。例えば、ＷＵＳＢ（Ｗｉｒｅｌｅｓｓ  Ｕｎｉｖｅｒｓａｌ  Ｓｅｒｉａｌ Ｂｕｓ）規格ではデータ暗号化として共通鍵暗号方式を採用しており、ＷＵＳＢホスト機器とＷＵＳＢデバイス機器との間で共通鍵を生成する必要がある。その共通鍵を生成するためのマスター鍵（Ｃｏｎｎｅｃｔｉｏｎ  Ｋｅｙ）等からなるＣＣ（Ｃｏｎｎｅｃｔｉｏｎ  Ｃｏｎｔｅｘｔ）を共有するための認証処理がＷＵＳＢ規格で定義されており、Ａｓｓｏｃｉａｔｉｏｎプロセスと呼ばれている。ＷＵＳＢ通信を確立するより前の時点で、そのＡｓｓｏｃｉａｔｉｏｎプロセスに従ってＷＵＳＢホスト機器とＷＵＳＢデバイス機器との間でＣＣを共有しておく必要がある。接続対象となる外部装置との間でＡｓｓｏｃｉａｔｉｏｎプロセスによって交換したＣＣや、装置間で生成されたデータ暗号化用の共通鍵等を無線パラメータ３０３として記憶する。
【００２４】
また、ＣＣに含まれる情報としてＷＵＳＢホスト機器を示す固有のＩＤ（Ｃｏｎｎｅｃｔｉｏｎ  Ｈｏｓｔ ＩＤ）、ＷＵＳＢデバイス機器を示す固有のＩＤ（Ｃｏｎｎｅｃｔｉｏｎ  Ｄｅｖｉｃｅ  ＩＤ）がある。これらの情報を、外部装置を特定するためのデバイスＩＤ３０４として記憶する。なお、デジタルカメラ（送信装置）１と外部装置とがＷＵＳＢで接続する際の接続形態として、第１の形態はデジタルカメラ（送信装置）１がＷＵＳＢホスト機器となり、外部装置がＷＵＳＢデバイス機器となる場合である。また、第２の形態はその逆にデジタルカメラ（送信装置）１がＷＵＳＢデバイス機器となり、外部装置がＷＵＳＢホスト機器となる場合である。無線パラメータ３０３やデバイスＩＤ３０４は第１及び第２の形態に対応するデータを保持している。
【００２５】
次に、デジタルカメラ１が撮像した画像データを送信する処理について図５のフローチャートを参照して説明する。ここで、送信する画像データとして、図６に示すように、被写体として「Ａ」６０１、「Ｂ」６０２、「Ｃ」６０３の人物が撮像された画像データ６００を例にする。また、画像データ６００を撮像したデジタルカメラ１には、図４で示すような管理データ３００が登録されているものとする。図４に示す管理データ３００には、３つのデジタルカメラが登録されている。登録ナンバー１には、登録名３０２を「ＸＸＸ」とし、所有者を人物「Ｄ」として識別情報３０５に人物「Ｄ」の顔データが登録されている。また、登録ナンバー２には、登録名３０２を「ＹＹＹ」とし、所有者を人物「Ａ」及び人物「Ｂ」として識別情報３０５に人物「Ａ」及び人物「Ｂ」の顔データが登録されている。登録ナンバー３には、登録名３０２を「ＺＺＺ」とし、所有者を人物「Ｃ」として識別情報３０５に人物「Ｃ」の顔データが登録されている。
【００２６】
まず、ステップＳ１００において、システム制御部９は画像表示部１３に表示している画像データを解析する。より具体的には、システム制御部９は画像データから人物の被写体情報として、被写体の顔画像（識別情報）を抽出、即ち顔画像を取得する（識別情報取得手段）。次に、システム制御部９は抽出した被写体情報と管理データ３００中の識別情報３０５との照合、即ち比較する（識別情報比較手段）。システム制御部９は、照合の結果を判定し、被写体情報と識別情報とが一致した場合は、一致した識別情報に関連付けられている送信先の外部装置を判定する（送信先取得手段）。システム制御部９は、上述した処理を表示されている人物全てに対して行う。
【００２７】
次に、ステップＳ１０２において、システム制御部９は、画像表示部１３に表示している人物の付近に、判定した送信先の外部装置の名称を表示する。本実施形態では、システム制御部９は送信先の外部装置の名称として、管理データ３００の登録名３０２を表示する（表示処理手段）。図７に、システム制御部９が判定した送信先の外部装置の名称を表示した画面の一例を示す。図７に示すように、システム制御部９は、人物「Ａ」及び人物「Ｂ」の顔領域の付近に、送信先として、登録名「ＹＹＹ」を表示している。また、システム制御部９は、被写体「Ｃ」の顔領域の付近に、送信先の外部装置の名称４０２として、登録名「ＺＺＺ」を表示している。
【００２８】
デジタルカメラ１は、ユーザが操作部２５を用いて、複数表示された人物の顔画像を選択することができる。システム制御部９は、選択された被写体をユーザが識別できるように図７で示すように、操作対象枠４０１を表示する。さらに、システム制御部９は、選択されている人物の付近に、管理データ３００を参照し、送信先（登録名３０２）と関連付けられた識別情報３０５に登録されている全ての所有者の顔画像である顔ＩＤを表示する。図７では、システム制御部９は、送信先「ＹＹＹ」には所有者の識別情報として人物「Ａ」及び人物「Ｂ」が登録されているので、所有者としての人物「Ａ」の顔画像である顔ＩＤ４０６及び所有者としての人物「Ｂ」の顔画像である顔ＩＤ４０７を表示している。このように、システム制御部９が送信先と共に送信先に関連付けて登録されている識別情報を表示することで、ユーザが送信先の人物を記憶していなくても、送信先が正しいことを確認できる。また、システム制御部９は、選択されている被写体のみに対応した顔ＩＤを表示するので画像表示部１３の表示スペースが少なくてよい。
【００２９】
また、システム制御部９は、ユーザに対して同じ送信先であることがさらに理解できるように、図７に示すように人物「Ａ」の顔ＩＤ４０６の枠と、撮像された人物「Ａ」の顔領域を示す顔領域枠４０３とを同じ色で表示する。同様に、システム制御部９は、人物「Ｂ」の顔ＩＤ４０７の枠と、撮像された人物「Ｂ」の顔領域を示す顔領域枠４０４とを同じ色で表示する。なお、図７では、顔ＩＤの枠と顔領域枠とを同じ線種にして表示しているが、ユーザが識別できるのであれば、どのような識別表示を表示してもよい。このように、顔ＩＤの枠と顔領域枠とが同一であることが認識できるように表示することで、ユーザはシステム制御部９が顔の誤識別をしているか否かを簡単に確認できる。
【００３０】
なお、ユーザはＭＥＮＵボタン２１０を押下することで操作対象枠４０１を切り替えることができる。図７に示す状態からユーザがＭＥＮＵボタン２１０を押下する。システム制御部９はユーザによるＭＥＮＵボタン２１０の押下を検出すると（選択検出手段）、図８に示すように操作対象枠４０１を人物「Ｂ」に切り替えて表示する。
管理データ３３０には、送信先「ＹＹＹ」には所有者の識別情報として人物「Ａ」及び人物「Ｂ」が登録されている。したがって、図８に示すように、システム制御部９は、所有者としての人物「Ｂ」の顔画像である顔ＩＤ４０７及び所有者としての人物「Ａ」の顔画像である顔ＩＤ４０６を表示している。
図９は、ユーザがＭＥＮＵボタン２１０を押下して、操作対象枠４０１を人物「Ｃ」に切り替えたときの画面の一例を示す図である。図９では、システム制御部９は、送信先「ＺＺＺ」には所有者の識別情報として人物「Ｃ」が管理データ３００に登録されているので、所有者としての人物「Ｃ」の顔画像である顔ＩＤ４０８を表示している。
【００３１】
図５のフローチャートに戻り、ステップＳ１０３において、ユーザはシステム制御部９が表示した顔画像において、顔の誤認別があるか否かを判断する。顔の誤認別がある場合、ステップＳ１０４に進む。また、顔の誤認別がない場合、ステップＳ１０７に進む。
ステップＳ１０４において、ユーザはシステム制御部９が表示している顔ＩＤが同じ送信先として登録されている所有者の顔ＩＤと誤認別されているか否かを判定する。同じ送信先として登録されている所有者の顔ＩＤと誤認別されている場合、ステップＳ１０６に進む。同じ送信先として登録されている所有者とは異なる顔ＩＤと誤認別されている場合、ステップＳ１０５に進む。
【００３２】
ステップＳ１０６において、ユーザはＭＥＮＵボタン２１０を押下して誤認別している人物に操作対象枠４０１を切り替える。ユーザは切り替えた人物においてＳＥＴボタン２０５を押下し、次に右ボタン２０７又は左ボタン２０９を押下する。システム制御部９は、右ボタン２０７又は左ボタン２０９の押下を検出すると、管理データ３００に登録されている識別情報３０５を参照して、同じ送信先として登録されている所有者の顔ＩＤを順番に表示する。ユーザが正しい顔ＩＤが表示されたときに、ＳＥＴボタン２０５を押下することで、システム制御部９は顔ＩＤを確定する。
【００３３】
ステップＳ１０５では、システム制御部９は撮像された画像データの人物を送信先が異なる所有者と誤認別した場合の処理である。システム制御部９が誤認別をしなかった場合、図９に示すように、人物「Ｃ」の付近に、所有者としての人物「Ｃ」の顔画像である顔ＩＤ４０８を表示する。一方、例えば、システム制御部９が誤認別をして、人物「Ｃ」を人物「Ｄ」として誤認別した場合、図１０に示すように、システム制御部９は人物「Ｃ」の付近に、送信先「ＸＸＸ」及び所有者としての人物「Ｄ」の顔画像である顔ＩＤ４０９を表示してしまう。このとき、ユーザはＭＥＮＵボタン２１０を押下して誤認別している人物に操作対象枠４０１を切り替える。ユーザは切り替えた人物において送信先の登録名４０２を上ボタン２０６又は下ボタン２０８を押下する。システム制御部９は、上ボタン２０６又は下ボタン２０８の押下を検出すると、管理データ３００に登録されている登録名３０２を参照して、送信先（登録名３０２）を図１１に示すように順番に表示する。ユーザは正しい送信先が表示されたときに、さらに右ボタン２０７又は左ボタン２０９を押下する。システム制御部９は、右ボタン２０７又は左ボタン２０９の押下を検出すると、管理データ３００に登録されている識別情報３０５を参照して、同じ送信先として登録されている所有者として人物の顔ＩＤを順番に表示する。ユーザは正しい顔ＩＤが表示されたときに、ＳＥＴボタン２０５を押下することで、システム制御部９は顔ＩＤを確定する。
【００３４】
ステップＳ１０７において、ユーザは送信先を選択、即ちＭＥＮＵボタン２１０を押下して操作対象枠４０１を送信したい送信先に対応する人物に切り替えて、送信ボタン２０４を押下する。例えば、ユーザは人物「Ａ」に操作対象枠４０１を切り替えて、送信ボタン２０４を押下する。
【００３５】
ステップＳ１０８において、システム制御部９は、送信ボタン２０４の押下を検出すると、送信先と接続する処理を行う。例えば、人物「Ａ」、即ち送信先「ＹＹＹ」が選択された状態で、送信ボタン２０４が押下されたとき、システム制御部９は管理データ３００の登録名「ＹＹＹ」と接続する処理を行う。
ステップＳ１０９において、システム制御部９は、管理データ３００の登録名３０２に関連付けられた接続状態３０６を参照して、ＴｒｕｅかＦａｌｓｅかを判定する。ここで、Ｔｒｕｅは既に接続済みであることを示す。Ｆａｌｓｅは接続されていないことを示す。例えば、システム制御部９は、管理データ３００に基づいて登録名「ＹＹＹ」とは現時点で接続済であることが分かる。なお、Ｆａｌｓｅの場合、システム制御部９は管理データ３００の無線パラメータ３０３とデバイスＩＤ３０４とを使用し、送信先に接続する処理を行う。送信先と接続状態である場合、ステップＳ１１１に処理を進める。送信先との間で接続が失敗した場合、ステップＳ１１２に処理を進める。
【００３６】
ステップＳ１１１において、システム制御部９は、接続済であるため、送信先に画像データを送信する。例えば、システム制御部９は、画像データ６００を送信先「ＹＹＹ」に送信する。
ステップＳ１１０において、現時点では画像データを送信することができないので、システム制御部９は送信予約リストに追加して、記憶する。なお、システム制御部９はこのとき送信する画像データに管理データ３００の識別情報３０５に関連付けられた情報を付加して送信する（人物情報付加手段）。ここで、識別情報に関連付けられた情報とは、氏名や顔画像等の人物情報をいう。画像に写っている人物が登録されている場合には、その人物に対して登録している人物情報を画像データと共に送信することで、送信先の画面において、表示された人物の付近に、その人物の人物情報を表示させることができる。
【００３７】
ステップＳ１１２において、ユーザは送信したい送信先が他にあるか否かを判定する。他に送信先がある場合、ステップＳ１０３に処理を戻す。他に送信先がない場合、ステップＳ１１３に処理を進める。
ステップＳ１１３において、ユーザは送信したい画像データが他にあるか否かを判定する。他に画像データがある場合、ユーザは右ボタン２０７を押下することで、システム制御部９は、次の画像データを画像表示部１３に表示して、ステップＳ１００に処理を戻す。他に画像データがない場合、ステップＳ１１４に処理を進める。
ステップＳ１１４において、ユーザが画像データを送信する操作を終了させることで、システム制御部９は管理データ３００の接続状態３０６を確認し、接続している送信先との接続を切断して、画像データを送信する処理を終了する。
予約送信リストに追加して記憶された画像データを送信先に送信する場合について説明する。この場合、ユーザがシステム制御部９によって表示するメニューモードから予約送信リストを送信するモードを選択することで、システム制御部９は予約送信リストに記憶された情報に基づいて、送信先と接続し画像データを送信する。
【００３８】
このように、第１の実施形態によれば、管理データ３００に、１つの送信先に関連付けられて、送信先の所有者の識別情報として複数の人物が登録されている場合、送信先と共には複数の人物の顔画像を画像表示部１３に表示する。したがって、撮像した画像データに送信先の外部装置を共有する複数の人物が含まれていたとしても、ユーザは簡単に、同一の外部装置に送信されることを理解できる。これにより例えば、同一の外部装置に同一の画像データを重複して送信するようなことを防止することができる。
【００３９】
また、システム制御部が顔の誤認別をした場合であっても、ユーザの選択に応じて、管理データ３００に登録されている識別情報３０５を参照して、同じ送信先として登録されている所有者の顔ＩＤを順番に表示し、ユーザが正しい顔ＩＤを選択できる。したがって、顔の誤認別がされた場合であっても、ユーザは正しい顔ＩＤに簡単に訂正することができる。
【００４０】
また、システム制御部が顔の誤認別をした場合であっても、ユーザの選択に応じて、管理データ３００に登録されている登録名３０２を参照して、登録名を順番に表示し、ユーザが登録名（送信先）を選択できるように構成している。したがって、顔の誤認別をした場合であっても、ユーザは正しい登録名（送信先）に簡単に訂正することができる。
【００４１】
（第２の実施形態）
第１の実施形態では、ユーザが送信ボタンを押下したときに、送信先との接続状態が接続済であった場合、画像データを送信する処理についてのみ説明した。第２の実施形態では、送信ボタンを押下したときに、送信する画像データを送信予約リストに追加する処理について説明する。なお、第１又は第２の実施形態に係る処理を行うかは、例えばユーザがシステム制御部９によって表示されているメニューモードを選択することにより行われる。
【００４２】
第２の実施形態に係る画像データを送信予約リストに追加する処理について図１２のフローチャートを参照して説明する。なお、第２の実施形態におけるステップにおいて、ステップＳ１００からステップＳ１０６は第１の実施形態と同一ステップであり、同一のステップ番号を付して説明を省略する。
【００４３】
ステップＳ１０７において、ユーザは送信先を選択、即ちＭＥＮＵボタン２１０を押下して操作対象枠４０１を送信したい送信先に対応する人物に切り替えて、送信ボタン２０４を押下する。例えば、ユーザは人物「Ａ」に操作対象枠４０１を切り替えて、送信ボタン２０４を押下する。
【００４４】
ステップＳ１１０において、システム制御部９は送信ボタン２０４の押下を検出すると、選択されている送信先と画像表示部１３に表示されている画像データとを関連付けて不揮発性メモリ２２等の記憶装置に送信予約リストとして追加して、記憶する。
ステップＳ１１２において、ユーザは送信したい送信先が他にあるか否かを判定する。他に送信先がある場合、ステップＳ１０３に処理を戻す。他に送信先がない場合、ステップＳ１１３に処理を進める。
ステップＳ１１３において、ユーザは送信したい画像データが他にあるか否かを判定する。他に画像データがある場合、ユーザは右ボタン２０７を押下することで、システム制御部９は、次の画像データを画像表示部１３に表示して、ステップＳ１００に処理を戻す。他に画像データがない場合、画像データを送信予約リストに追加する処理を終了する。
【００４５】
次に、予約送信リストに追加して記憶された画像データを送信先に送信する場合について説明する。この場合、ユーザがシステム制御部９によって表示するメニューモードから予約送信リストを送信するモードを選択することで、システム制御部９は予約送信リストに記憶された情報に基づいて、送信先と接続し画像データを送信する。なお、接続先との接続に失敗した場合、システム制御部９は、接続が失敗した送信先の送信予約のみ送信予約リストに残す。
【００４６】
このように第２の実施形態によれば、送信する画像データを一律に送信予約リストに追加して記憶する。そして、送信予約リストに記憶された複数の画像データを一度に送信することができる。したがって、ユーザは複数の画像データを簡単に送信することができる。
【００４７】
（第３の実施形態）
第１及び第２の実施形態では、図７及び図８に示すように、ユーザが人物「Ａ」及び人物「Ｂ」のうち何れかを選択したとしても、撮像した同一の画像データが同一の送信先に送信される。第３の実施形態では、画像データのうちユーザが選択した人物の画像に画像処理を行い、画像処理が行われた画像データを送信する処理について説明する。
【００４８】
まず、ユーザがＭＥＮＵボタン２１０を押下して操作対象枠４０１を送信したい送信先に対応する人物「Ａ」に切り替えて、送信ボタン２０４を押下したとする。システム制御部９は、人物「Ａ」の選択及び送信ボタン２０４の押下を検出すると、画像データに対して人物「Ａ」の画像を主被写体として画像処理、例えば覆い焼き処理を行うように画像処理部１０に指示をする。そして、システム制御部９は人物「Ａ」の画像を主被写体とする画像処理が行われた画像データを送信先に送信する。
【００４９】
同様に、ユーザがＭＥＮＵボタン２１０を押下して操作対象枠４０１を送信したい送信先に対応する人物「Ｂ」に切り替えて、送信ボタン２０４を押下したとする。システム制御部９は、人物「Ｂ」の選択及び送信ボタン２０４の押下を検出すると、画像データに対して人物「Ｂ」の画像を主被写体として画像処理、例えば覆い焼き処理を行うように画像処理部１０に指示をする。そして、システム制御部９は人物「Ｂ」の画像を主被写体とする画像処理が行われた画像データを送信先に送信する。
このように、第３の実施形態によれば、選択した人物を主被写体とするように画像処理を行うので、画像データを送信する送信先の人物に適した画像を送信することができる。
【００５０】
なお、送信先の外部装置をデジタルカメラの場合についてのみ説明したが、この場合に限られるものではない。例えば、送信先の外部装置をプリンタにしてもよい。ここで、送信先の外部装置をプリンタにする場合について、図１３〜図１６を参照して説明する。まず、ユーザがＭＥＮＵボタン２１０を押下して操作対象枠４０１を送信したい送信先に対応する人物に切り替える。ユーザは切り替えた人物において送信先を上ボタン２０６又は下ボタン２０８を押下する。システム制御部９は、上ボタン２０６又は下ボタン２０８の押下を検出すると、管理データ３００に登録されている登録名４０２を参照して、送信先を順番に表示する。
【００５１】
例えば、ユーザが操作対象枠４０１を人物「Ａ」にして選択した状態で、上ボタン２０６又は下ボタン２０８を押下したとき、システム制御部９は送信先を図１３に示すように、「プリンタ」、「ＹＹＹ」、「ＸＸＸ」、「ＺＺＺ」の順番に表示する。ユーザが送信先を「プリンタ」にした場合、システム制御部９は、図１４に示すように人物「Ａ」の顔領域の付近に「プリンタ」を表示する。次に、ユーザは送信ボタン２０４を押下する。システム制御部９は、人物「Ａ」の選択及び送信ボタン２０４の押下を検出すると、画像データに対して人物「Ａ」の画像を主被写体として画像処理、例えば覆い焼き処理を行うように画像処理部１０に指示をする。そして、システム制御部９は人物「Ａ」の画像を主被写体とする画像処理が行われた画像データをプリンタに送信して、印刷の指示をする。
【００５２】
同様に、ユーザが操作対象枠４０１を人物「Ｂ」にして選択した状態で、上ボタン２０６又は下ボタン２０８を押下したとき、システム制御部９は送信先を図１５に示すように、「プリンタ」「ＹＹＹ」、「ＸＸＸ」、「ＺＺＺ」の順番に表示する。ユーザが送信先を「プリンタ」にした場合、システム制御部９は、図１６に示すように人物「Ｂ」の顔領域の付近に「プリンタ」を表示する。次に、ユーザは送信ボタン２０４を押下する。システム制御部９は、人物「Ｂ」の選択及び送信ボタン２０４の押下を検出すると、画像データに対して人物「Ｂ」の画像を主被写体として画像処理、例えば覆い焼き処理を行うように画像処理部１０に指示をする。そして、システム制御部９は人物「Ｂ」の画像を主被写体とする画像処理が行われた画像データをプリンタに送信して、印刷の指示をする。
このように、第３の実施形態によれば、選択した人物を主被写体とするように画像処理を行うことができるので、画像を渡す人物に適した画像を印刷することができる。
【００５３】
（第４の実施形態）
第４の実施形態では、送信先に画像データを送信したときに、送信した送信先には既に送信済みであることを画像表示部に表示する。送信済みの送信先に対して送信済みであることを表示する処理について図１７のフローチャートを参照して説明する。なお、第４の実施形態における各ステップにおいて、第１の実施形態と同一ステップには、同一のステップ番号を付して説明を省略する。
【００５４】
第４の実施形態では、ステップＳ１１０において、送信予約リストとして追加して記憶した後、及びステップＳ１１１において、送信先に画像データを送信した後、ステップＳ１１５に処理を進める。ステップＳ１１５において、システム制御部９は同じ画像データに写っており、かつ同じ送信先として登録している人物の全てについて、その全ての人物の付近に画像送信済みであることを識別するマークを表示する。
【００５５】
例えば、ユーザがＭＥＮＵボタン２１０を押下して人物「Ａ」に操作対象枠４０１を切り替えて、送信ボタン２０４を押下したとする。システム制御部９は図１８に示すように、人物「Ａ」の付近に、送信先「ＹＹＹ」には画像送信済みであることを示すチェックマーク５０１を表示する。また、システム制御部９は管理データ３００を参照して、送信先「ＹＹＹ」に関連付けて登録されている識別情報には人物「Ａ」以外に人物「Ｂ」が登録され、その人物「Ｂ」が画像データに写っていることを判定する。システム制御部９は、判定された結果に応じて図１８に示すように、人物「Ｂ」の付近に、送信先「ＹＹＹ」には画像送信済みであることを示すチェックマーク５０１を表示する。
【００５６】
ここで、管理データ３００では、人物「Ａ」及び人物「Ｂ」は同じ外部装置に関連付けて登録されている。したがって、ユーザが操作対象枠４０１を人物「Ａ」に切り替えて画像データを送信した後、操作対象枠４０１を人物「Ｂ」に切り替えて画像データを送信した場合、同じ外部装置に同一の画像データが送信されてしまう。第４の実施形態によれば、１つの送信先に送信されたとき、その送信先に登録されている人物の被写体の付近にも画像送信済みであることを示すチェックマーク５０１を表示する。したがって、ユーザは、同一の外部装置に同一の画像データを重複して送信するようなことを防止することができる。
【００５７】
なお、ユーザが人物「Ｃ」に操作対象枠４０１を切り替えて、送信ボタン２０４を押下したとする。この場合、システム制御部９は管理データ３００を参照して、送信先「ＺＺＺ」に関連付けて登録されている識別情報には人物「Ｃ」のみであると判定する。したがって、システム制御部９は、図１９に示すよう人物「Ｃ」の付近に、送信先「ＺＺＺ」には画像送信済みであることを示すチェックマーク５０１だけを表示する。
また、送信済みであることを示すマークとしてチェックマークを表示する場合について説明したが、この場合に限られず、送信済みであること識別できるのであれば、異なるマークであってもよい。
また、同じ送信先として登録されている人物の顔領域枠を全て点滅させるように表示してもよい。このように表示することで、ユーザは点滅している人物には同一の画像データが送信されることを簡単に確認することができる。
【００５８】
（第５の実施形態）
第５の実施形態では、送信先の外部装置との接続状態を表示する。送信先の外部装置との接続状態を表示する処理について図２０のフローチャートを参照して説明する。なお、第５の実施形態におけるステップにおいて、第１の実施形態と同一ステップには、同一のステップ番号を付して説明を省略する。
【００５９】
第１の実施形態では、ステップＳ１０７においてユーザが送信したい送信先に対応する人物に切り替えて、送信ボタン２０４を押下した後、ステップＳ１０８において送信先と接続する処理を行っていた。第５の実施形態では、ステップＳ１００において、画像データの人物の識別情報から関連付けられている送信先の外部装置を判定した後、ステップＳ１０８に処理を進める。次に、ステップＳ１０８において、システム制御部９は判定した全ての送信先に対して接続を試みる。システム制御部９は接続を試みた結果、接続状態でないことをユーザに識別できるように表示する。
【００６０】
例えば、システム制御部９は複数の送信先と接続を試みた結果、送信先「ＹＹＹ」との間の接続に失敗し、送信先「ＺＺＺ」との間の接続に成功したとする。この場合、システム制御部９は図２１に示すように、人物「Ａ」の付近であり、例えば送信先の外部装置の名称の欄「ＹＹＹ」をグレーアウトする等にして、接続がされていないことを識別できるように表示する。ユーザは接続がされていない送信先の人物を選択して送信ボタンを押下したとき、ステップＳ１１０において、システム制御部９は画像データを送信予約リストに追加して、記憶する。
【００６１】
このように、第５の実施形態によれば、ユーザは送信しようとしている送信先の接続状態でないことを簡単に確認することができる。したがって、ユーザが画像データを送信することを忘れてしまうことを防止することができる。
【００６２】
上述した本発明の実施形態における撮像装置を構成する各手段、又は撮像装置の制御方法の各ステップは、コンピュータのＲＡＭやＲＯＭ等に記憶されたプログラムが動作することによっても実現できる。このプログラム及び上記プログラムを記録したコンピュータ読み取り可能な記録媒体は本発明に含まれる。
【００６３】
また、本発明は、例えば、システム、装置、方法、プログラムもしくは記録媒体等としての実施形態も可能であり、具体的には、複数の機器からなるシステムに適用してもよい。
【００６４】
なお、本発明は、上述した実施形態の機能を実現するソフトウェアのプログラムを、システム又は装置に直接、又は遠隔から供給する。そして、そのシステム又は装置のコンピュータが上記供給されたプログラムコードを読み出して実行することによっても達成される場合を含む。
【００６５】
従って、本発明の機能処理をコンピュータで実現するために、上記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００６６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００６７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００６８】
【図１】デジタルカメラの構成を示す図である。
【図２】デジタルカメラの外観構成を示す図である。
【図３】無線ネットワークの構成を示す図である。
【図４】無線接続情報と識別情報とを関連付けて記憶した管理データを示す図である。
【図５】第１の実施形態に係る画像データを送信する処理を示すフローチャートである。
【図６】撮像された画像データの一例を示す図である。
【図７】送信先の外部装置の名称を表示した画面の一例を示す図である。
【図８】操作対象枠を人物「Ｂ」に切り替えたときの画面の一例を示す図である。
【図９】操作対象枠を人物「Ｃ」に切り替えたときの画面の一例を示す図である。
【図１０】人物「Ｃ」の付近に、送信先の登録名「ＸＸＸ」及び所有者「Ｄ」の顔画像を表示した画面の一例を示す図である。
【図１１】送信先の外部装置の名称を順番に表示する一例を示す図である。
【図１２】第２の実施形態に係る画像データを送信する処理を示すフローチャートである。
【図１３】送信先の外部装置の名称を順番に表示する一例を示す図である。
【図１４】人物「Ａ」の顔領域の付近に「プリンタ」を表示した画面の一例を示す図である。
【図１５】送信先の外部装置の名称を順番に表示する一例を示す図である。
【図１６】人物「Ｂ」の顔領域の付近に「プリンタ」を表示した画面の一例を示す図である。
【図１７】第４の実施形態に係る画像データを送信する処理を示すフローチャートである。
【図１８】画像送信済みであることを示すチェックマークを表示する画面の一例を示す図である。
【図１９】画像送信済みであることを示すチェックマークを表示する画面の一例を示す図である。
【図２０】第５の実施形態に係る画像データを送信する処理を示すフローチャートである。
【図２１】送信先との接状態を表示する画面の一例を示す図である。
【符号の説明】
【００６９】
１、２０１、２０２、２０３  デジタルカメラ
２５    操作部
２７    無線通信回路
２８    無線通信アンテナ
２０４  送信ボタン
２０５  ＳＥＴボタン
２０６  上ボタン
２０７  右ボタン
２０８  下ボタン
２０９  左ボタン
２１０  ＭＥＮＵボタン
３００  管理データ
３０１  登録ナンバー
３０２  登録名
３０３  無線パラメータ
３０４  デバイスＩＤ
３０５  識別情報
３０６  接続状態
４０１  操作対象枠
４０２  送信先名表示領域
４０３  顔領域枠
４０４  顔領域枠
４０５  送信先名が選択可能であることの表示
４０６  顔ＩＤ
４０７  顔ＩＤ
４０８  顔ＩＤ
４０９  顔ＩＤ
５０１  送信済みマーク
６０１  人物「Ａ」
６０２  人物「Ｂ」
６０３  人物「Ｃ」
【図１】
0005031589.tif 000002
【図２】
0005031589.tif 000003
【図３】
0005031589.tif 000004
【図４】
0005031589.tif 000005
【図５】
0005031589.tif 000006
【図６】
0005031589.tif 000007
【図７】
0005031589.tif 000008
【図８】
0005031589.tif 000009
【図９】
0005031589.tif 000010
【図１０】
0005031589.tif 000011
【図１１】
0005031589.tif 000012
【図１２】
0005031589.tif 000013
【図１３】
0005031589.tif 000014
【図１４】
0005031589.tif 000015
【図１５】
0005031589.tif 000016
【図１６】
0005031589.tif 000017
【図１７】
0005031589.tif 000018
【図１８】
0005031589.tif 000019
【図１９】
0005031589.tif 000020
【図２０】
0005031589.tif 000021
【図２１】
0005031589.tif 000022